【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
ＲＧＢ色空間の入力信号を、色相信号、彩度信号及び明度信号を含む別の色空間に変換する色変換部と、
上記色相信号の値を略等間隔に複数に分割し、当該複数に分割した区間毎に、上記色相信号、彩度信号又は明度信号のうち少なくともいずれか１つの変動量を算出する変動量算出部と、
上記変動量算出部で算出された色相信号、彩度信号又は明度信号のうち少なくともいずれか１つの変動量に基づいて、該変動量に対応する上記色相信号、彩度信号及び明度信号のうち少なくともいずれか１つを出力する出力部と
を備える画像処理装置。
【請求項２】
上記色相信号の値を略等間隔に複数に分割し、当該複数に分割した区間に基づいて上記彩度信号の低彩度領域の変動量を算出する低彩度変動量算出部と、
上記色相信号の値を略等間隔に複数に分割し、当該複数に分割した区間に基づいて上記彩度信号の高彩度領域の変動量を算出する高彩度変動量算出部と
をさらに備え、
上記変動量算出部は、上記低彩度領域の変動量及び上記高彩度領域の変動量に基づいて、上記変動量を算出する請求項１記載の画像処理装置。
【請求項３】
上記色相信号に関する第１の係数を上記色相信号から算出する色相マスク係数算出部と、
上記彩度信号に関する第２の係数を上記彩度信号から算出する彩度マスク係数算出部と、
上記第１の係数及び第２の係数を加算して第３の係数を出力するマスク係数出力部と
を有するマスク処理部と、
上記マスク係数出力部で出力された第３の係数と、上記変動量算出部からの変動量とに基づいて、色相及び彩度の平面上に形成される所定の領域に対してマスク処理を実行し、マスク処理後の色相信号、彩度信号又は明度信号のうち少なくとも１つの変動量を算出するマスク後変動量算出部と
をさらに備え、
上記出力部は、上記マスク後変動量算出部からの変動量に基づいて、上記色相信号、彩度信号及び明度信号を出力する請求項１記載の画像処理装置。
【請求項４】
上記マスク処理部を複数備え、当該マスク処理部は、複数のマスク係数出力部から出力される第３の係数のうち最も小さいものを選択する最小値選択部をさらに有する請求項３記載の画像処理装置。
【請求項５】
上記変動量算出部により、上記彩度信号又は明度信号の変動量を算出する場合において、
上記彩度信号又は明度信号に基づいて、上記マスク後変動量算出部により算出した彩度信号又は明度信号の変動量をリミットするための変動分リミット値を作成する変動分リミット値作成部と、
上記変動分リミット値作成部により作成した変動分リミット値に応じて、上記マスク後変動量算出部からの彩度信号又は明度信号の変動量をリミットして出力するリミット処理部と
をさらに備える請求項４記載の画像処理装置。
【請求項６】
ＲＧＢ色空間の入力信号を、色相信号、彩度信号及び明度信号の各信号成分を含む別の色空間に変換する色変換工程と、
上記色相信号の値を略等間隔に複数に分割し、当該複数に分割した区間毎に、上記色相信号、彩度信号又は明度信号のうち少なくともいずれか１つの変動量を算出する変動量算出工程と、
上記変動量算出工程で算出した色相信号、彩度信号又は明度信号のうち少なくともいずれか１つの変動量に基づいて、該変動量に対応する上記色相信号、彩度信号及び明度信号のうち少なくともいずれか１つを出力する出力工程と
を有する画像処理方法。
【請求項７】
ＲＧＢ色空間の入力信号を、色相信号、彩度信号及び明度信号の各信号成分を含む別の色空間に変換する色変換工程と、
上記色相信号の値を略等間隔に複数に分割し、当該複数に分割した区間毎に、上記色相信号、彩度信号又は明度信号のうち少なくともいずれか１つの変動量を算出する変動量算出工程と、
上記変動量算出工程で算出した色相信号、彩度信号又は明度信号のうち少なくともいずれか１つの変動量に基づいて、該変動量に対応する上記色相信号、彩度信号及び明度信号のうち少なくともいずれか１つを出力する出力工程と
を有する画像処理方法を情報処理装置に実行させるためのプログラム。
【請求項８】
ＲＧＢ色空間の入力信号を、色相信号、彩度信号及び明度信号を含む別の色空間に変換する色変換部と、
明度が１００％以上の上記明度信号又は彩度が１００％以上の上記彩度信号に対して、色相歪みが無いようにリミット処理するリミット処理部と、
上記リミット処理部でリミット処理された明度信号又は彩度信号に基づいて、上記色相信号、彩度信号及び明度信号をＲＧＢ色空間の出力信号に変換する逆色変換部と
を備える画像処理装置。
【請求項９】
上記第２のリミット処理部は、上記色相信号に基づく第１の設定値を所定単位の色相毎に切り換えて設定し、当該第１の設定値に基づいて上記彩度が１００％以上の彩度信号をリミットする彩度ハーフリミット部をさらに備える請求項８記載の画像処理装置。
【請求項１０】
上記彩度ハーフリミット部は、約６０度単位の色相毎に、上記第１の設定値を切り換える請求項９記載の画像処理装置。
【請求項１１】
上記リミット処理部は、
上記彩度信号の彩度が１００％以上の場合に、上記明度信号に対して、上記色相信号に基づく第２の設定値に応じた変調処理を実行する明度変調部をさらに備える請求項１０記載の画像処理装置。
【請求項１２】
上記明度変調部は、上記彩度ハーフリミット部から彩度信号の出力SHLoutを用いて、（１）式で定義される上記変調処理を実行する請求項１１記載の画像処理装置。
Vout=Vin*(Sin-SHLout)*VMGN   (１)
但し、変調処理後の明度信号をVout、変調処理前の明度信号をVin、変調処理前の彩度信号をSin、上記第２の設定値をVMGNとする。
【請求項１３】
上記リミット処理部は、
上記彩度信号に応じて上記明度信号をリミットするための第３の設定値を設定し、当該第３の設定値に基づいて当該明度信号をリミットする明度ハーフリミット部をさらに備える請求項１２記載の画像処理装置。
【請求項１４】
上記リミット処理部は、
上記明度信号の明度が１００％以上の場合に、上記彩度信号に対して彩度の小さい方から色を抜いていく彩度減衰処理を実行する彩度減衰部をさらに備える請求項１３記載の画像処理装置。
【請求項１５】
ＲＧＢ色空間の入力信号を、色相信号、彩度信号及び明度信号を含む別の色空間に変換する色変換工程と、
明度が１００％以上の上記明度信号又は彩度が１００％以上の上記彩度信号に対して、色相歪みが無いようにリミット処理するリミット処理工程と、
上記リミット処理工程でリミット処理された明度信号又は彩度信号に基づいて、上記色相信号、彩度信号及び明度信号をＲＧＢ色空間の出力信号に変換する逆色変換工程と
を有する画像処理方法。
【請求項１６】
ＲＧＢ色空間の入力信号を、色相信号、彩度信号及び明度信号を含む別の色空間に変換する色変換工程と、
明度が１００％以上の上記明度信号又は彩度が１００％以上の上記彩度信号に対して、色相歪みが無いようにリミット処理するリミット処理工程と、
上記リミット処理工程でリミット処理された明度信号又は彩度信号に基づいて、上記色相信号、彩度信号及び明度信号をＲＧＢ色空間の出力信号に変換する逆色変換工程と
を有する画像処理方法を情報処理装置に実行させるためのプログラム。
【請求項１７】
ＲＧＢ色空間の入力信号を、色相信号、彩度信号及び明度信号を含む別の色空間に変換する色変換部と、
上記明度信号の値を複数に分割し、該複数に分割した各分割点での明度信号の変動量を算出する明度変動量算出部と、
上記明度変動量算出部により算出された明度信号の変動量に基づいて、上記色相信号、彩度信号及び明度信号をＲＧＢ色空間の出力信号に変換する逆色変換部と
を備える画像処理装置。
【請求項１８】
上記彩度信号に基づいて、上記明度信号の変動量を補正するための係数を算出する彩度係数算出部と、
上記彩度係数算出部により算出した係数に基づいて、上記明度信号の変動量を補正する明度補正部と
をさらに備える請求項１７記載の画像処理装置。
【請求項１９】
ＲＧＢ色空間の入力信号を、色相信号、彩度信号及び明度信号の各信号成分を含む別の色空間に変換する色変換工程と、
上記明度信号の値を複数に分割し、該複数に分割した各分割点での明度信号の変動量を算出する明度変動量算出工程と、
上記明度変動量算工程で算出された明度信号の変動量に基づいて、上記色相信号、彩度信号及び明度信号をＲＧＢ色空間の出力信号に変換する逆色変換工程と
を有する画像処理方法。
【請求項２０】
ＲＧＢ色空間の入力信号を、色相信号、彩度信号及び明度信号の各信号成分を含む別の色空間に変換する色変換工程と、
上記明度信号の値を複数に分割し、該複数に分割した各分割点での明度信号の変動量を算出する明度変動量算出工程と、
上記明度変動量算工程で算出された明度信号の変動量に基づいて、上記色相信号、彩度信号及び明度信号をＲＧＢ色空間の出力信号に変換する逆色変換工程と
を有する画像処理方法を情報処理装置に実行させるためのプログラム。